(57)【要約】【課題】          医院や理美容院で使用される椅子のシート、背凭れおよび前垂れなどのシートクッションの中に薬剤や水などが浸透しないようにするとともに、患者や被施術者が長時間の着座の際に、苦痛感を与えることのない椅子等のシートクッションを提供する。【解決手段】        椅子等の座部、背凭れおよび前垂れ等のシートクッションにおいて、樹脂、木または金属などで形成される芯材、ウレタンなどのクッション材および表面がアクリル樹脂等の光沢層を有する表装張りで構成され、表装張りの繋ぎ目を溶着テープで溶着するようにして形成するシートクッション。【選択図】          図１
0003132062.tif 000002
【実用新案登録請求の範囲】
【請求項１】
椅子等の座部、背凭れおよび前垂れ等のシートクッションにおいて、芯材およびウレタンなどのクッション材の外面を、表皮の繋ぎ目を溶着テープで溶着して形成される表装張りで覆うとともに、前記表装張り部の表皮の表面にアクリル樹脂等の光沢層を形成したことを特徴とする椅子等のシートクッション構造。
【考案の詳細な説明】
【技術分野】
【０００１】
本考案は、医院や理美容院等で使用される椅子等の座部、背凭れおよび前垂れ等のシートクッション構造に関する。
【背景技術】
【０００２】
医院や理美容院等で使用される椅子の座部、背凭れ及び前垂れなどのクッション(以下シートクッションという)の形成に関し、該シートクッションの表面に張設されるレザーなどの表装張りにおいて、従来のこれらの表装張りは通常のミシンで、シートなどのクッションを覆うレザーなどの表装張りを、糸で縫い合わせてシ―トクッションなどを形成している。
【０００３】
また前記したレザーなどの表装張りを糸を使用して通常のミシンで縫い合わせて形成するシートクッション以外に、前記糸の縫い目をなくす成形方法として、芯材にレザーなどの表装張りを施し、これを一体的に圧着して形成する場合や前記レザーなどの表装張りの表皮内に発泡樹脂を流し込んで、発泡樹脂を硬化させてシートクッションを成形しているものがある。
【０００４】
この種の従来の椅子座部、背凭れおよび前垂れなどのシートクッションについては、図４に示すように、表装張り部９ａの縁部を糸で縫製するミシンで縫われた縫い目９ｂ（１０）ができる。
従って、図５に示すように、椅子全体を観察すると、座部シートクッション９の表装張り部９ａの側縁部に糸の縫い目９ｂ（１０）が現れ、糸孔ができるようになっている。
【０００５】
同様背凭れシートクッション１１および前垂れシートクッション９ｃ部にも、それぞれ糸目１１ａ（１０）および９ｂ（１０）が現れ、糸孔が形成される。
また他の椅子においては、特許文献１に示すように、椅子の表装張り方法で張られた椅子が開示されているが、この文献に開示されている内容は、椅子の側縁部にレザーなどのカバーでクッション材を覆いファスナー等でシートクッションなどを形成したものがある。
【０００６】
さらに特許文献２には、シートクッションを形成する方法として、シート基材の複数の縁を縫い合わせてほぼ袋形態の表皮材を形成し、その表皮材の内部空間に発泡樹脂を注入して発泡させる表皮一体発泡成形方法によって成形されるシートクッションが開示され、表装針の形成に関しては、表装張りの合わせ面に帯状のシール材を介して、前記シート基材の縁に宛って一緒に縫い合わせるようにしたものが開示されている。
【０００７】
【特許文献１】特開昭５５−１０１２９１号
【特許文献２】特開２００５−３４２１２号
【考案の開示】
【考案が解決しようとする課題】
【０００８】
ところで、前記の表装張りとの表装張りの張り合わせ部に糸をミシンで縫製したものにあっては、通常のミシンでは、その縫製において糸を使用し、糸孔がレザーなどの表装張りを貫通するため、シートクッションなどの中にある詰め物のウレタンなどに、消毒殺菌するための薬品の噴霧を行ったり、または殺菌剤などを浸した布で清拭する場合に、この薬剤が表装張りの中に浸透したり、清拭する布に浸透した薬剤がシートクッションの中に入って、シートクッションが薬品などに侵されるなどの問題がある。
【０００９】
また理美容院で使用する椅子においては、パーマ時のパーマ剤、毛染め時のカラー剤やシャンプーやリンスなど水などを使用する作業において、糸孔から前記薬剤や水などが浸透するなどの問題がある
【００１０】
また特許文献１に示すものにあっては、椅子の側縁部にレザーなどのカバーでクッション材を覆いファスナー等でシートクッションなどを形成したものがあるが、このこうせいであると、前記したようにファスナー等の微小な隙間からシートクッションなどの中にある詰め物のウレタンなどに、消毒殺菌するための薬品を使用する場合や殺菌剤などを浸した布で清拭する場合に、この薬剤がシートクッションの中に浸透するという問題がある。
【００１１】
さらに特許文献２にあっては、表装針の形成に関して、表装張りの合わせ面に帯状のシール材を介して、前記シート基材の縁に宛って一緒に縫い合わせて、袋状の表装張りの内部に注入される発泡樹脂が漏れないようにしているが、シール部材を介して、ミシン糸で縫い合わせているため、発泡樹脂などの軟化した材料では漏れはある程度解消されるものの、前記した消毒殺菌するための薬品を使用する場合や殺菌剤などを浸した布で清拭する場合に、水分を含む薬剤などは発泡樹脂などと比較すると浸透力が強く、シートクッション内に浸透するという問題は解決されない。
【００１２】
また発泡樹脂が発泡してキャビティ内に充満し、発泡樹脂の圧力でキャビティ内面に表皮材が押し付けられ、そのまま発泡樹脂を硬化させ、表面が表皮材で覆われた発泡樹脂の表皮一体発泡成形品、すなわちシートクッションが形成されるようになっている。
このため、表装張りと前記硬化された発泡樹脂で形成されているため、シートクッション自体が堅いものとなり、やわらかいクッションが実現できないという問題があり、着座者特に医院などで治療を受ける患者が着座した際に堅い感じを与え、且つ苦痛を感じさせるものとなっている。
【００１３】
また理美容院などでの長時間にわたる着座状態で、パーマや毛染めなどの施術を受ける被施術者にとっても苦痛を強いられるものがある。
【００１４】
本考案は前記した課題を解決せんとするもので、その目的とするところは、医院や理美容院で使用される椅子の座部、背凭れおよび前垂れなどのシートクッションの中に薬剤や水などが浸透しないようにするとともに、患者や被施術者が長時間の着座の際に、苦痛感を与えることのない椅子等のシートクッションの構造を提供せんとするにある。
【課題を解決するための手段】
【００１５】
本考案の椅子等のシートクッション構造は、前記目的を達成せんとするもので、その手段は、椅子等の座部、背凭れおよび前垂れ等のシートクッションにおいて、芯材およびウレタンなどのクッション材の外面を、表皮の繋ぎ目を溶着テープで溶着して形成される表装張りで覆うとともに、前記表装張り部の表皮の表面にアクリル樹脂等の光沢層を形成したことを特徴とする。
【考案の効果】
【００１６】
本考案の椅子等のシートクッション構造は、前記表装張りとの表装張りの張り合わせ部に糸孔がないため、医院等で使用する消毒殺菌するために噴霧される薬品や殺菌剤などを浸した布で清拭する場合においても、前記薬剤がシートクッションなどの中にある詰め物のウレタンなどに浸透することはなく、シートクッション自体が薬品などに侵されることはない。
また理美容院で使用する椅子においても、パーマ剤、カラー剤やシャンプーやリンスなどが前記同様シートクッション内に薬剤や水などが浸透するようなことはない。
【００１７】
さらには表装張りを引っ張って行うシームレス張りや芯材に表装張りを設け、芯材と表層張りの間に発泡樹脂を注入する成形法で形成されるシートクッションのように堅くなることもなくやわらかいクッションが実現できるため、医院などで治療を受ける患者や理美容院での長時間にわたる理美容施術を受ける施術者が着座した際に堅い感じを与えることもなく、且つ苦痛を感じさせることもない。
【考案を実施するための最良の形態】
【００１８】
椅子等の座部、背凭れおよび前垂れ等のシートクッションにおいて、樹脂、木または金属などで形成される芯材、ウレタンなどのクッション材および表面がアクリル樹脂等の光沢層を有する表装張りで構成され、前記表装張りのあわせ面を溶着テープで溶着するようにして形成されるシートクッション。
【実施例１】
【００１９】
以下、本考案に係る椅子のシートクッション構造の一実施例を図面とともに説明する。
図１はシートクッションの要部断面図、図２は表装張り部の要部拡大断面図、図３は溶着テープで溶着された表装張り部が取付けられた椅子の全体図である。
【００２０】
実施の説明は座部のシートクッション１で説明する。１は座部のシートクッションであり、１ａは該シートクッション１表面の表装張り部で、該表装張り部１ａは表皮１ｂおよび該表皮１ｂの表面に施されるアクリル樹脂などの光沢のある光沢層１ｃとで構成されている。
１ｄはウレタンなどのクッション層、１ｅは布地である。
【００２１】
従って、表装張り部１ａは、前記表皮１ｂ、光沢層１ｃ、クッション層１ｄおよび布地１ｅで構成されている。１ｆは前垂れのシートクッションを示す。
２は背凭れシートクッション、３は枕シートクッションであり、それぞれ前記座部のシートクッション１と同様の構造となっている。
【００２２】
４は硬質樹脂、木または金属等で構成される芯材であり、５は発泡ウレタンなどで形成されるクッション材である。
従って、座部のシートクッション１は、芯材４、クッション材５および表装張り部１ａで構成されている。
６は前記表装張り部１ａの繋ぎ目（縫い目）の内面に設けられ、前記表装張り部１ａの繋ぎ目が表面に現れないようにするため、超音波、高周波または熱溶着などで、表装張り部１ａに溶着される溶着テープである。
【００２３】
表装張り部１の最も内側に設けられる布地１ｅと溶着テープ６との溶着で行われるが、溶着方法について、熱溶着の場合においては、熱可塑性のフイルムシートなどを使用して、これらのフイルムシートを溶着ミシン等により、熱で溶かして加圧と冷却することで、表装張り１ａと溶着テープとを接着させるようにしている。
その他の溶着方法として高周波溶着や超音波溶着があるが、被加熱物の種類と形状などにより適宜選定して行われるようになっている。
【００２４】
これにより、表装張り部１ａの繋ぎ目は、溶着テープ６がフイルムシートとなっているため、表装張り部１ａと溶着テープ６とが密着して接着され、表装張り部１ａ表面に繋ぎ目も表われず、かつ表装張り部１ａは溶着テープ６によって完全にシールされる。
従って、前記薬剤などがシートクッション１内部に浸透することはない。
【００２５】
以上のことから、芯材４の外面をウレタンなどで形成されるクッション材５を覆い、さらにクッション材５の外面に、布１ｅ、ウレタンなどのクッション層１ｄ、表皮１ｂと該表皮１ｂの表面にアクリル樹脂などの光沢のある光沢層１ｃで構成される表装張り部１ａで覆うことでシートクッション１を構成している。
【００２６】
その際に、前記発泡ウレタンなどで形成されるクッション材５を覆う前記表装張り部１ａの繋ぎ目に溶着テープ６を介在させて、超音波、高周波または熱などで溶着する溶着ミシン等で溶着させて形成される表装張り部１ａとしているため、薬剤などの液がシートクッションに零れたり、薬液等でシートクッション１を清拭しても薬液がシートクッション１内部に漏れることはない。
【００２７】
前垂れのシートクッション１ｆ、背凭れのシートクッション２や枕などのシートクッシトョン３など椅子を構成する張り部にも、前記構造のシートクッションを形成することにより、糸目のないシートクッションが実現でき、医院等で使用する消毒殺菌するために噴霧される薬品や殺菌剤などを浸した布で清拭する場合においても、前記薬液等がシートクッションなどの中に浸透することはなく、シートクッション自体が薬品などに侵されることもない。
【００２８】
また理美容院で使用する椅子においても、パーマ剤、カラー剤やシャンプーやリンスなどが前記同様シートクッション内に薬剤や水などが浸透するようなこともなく、かつ硬い発泡樹脂などを表装張り内部に注入して成形するような硬いシートクッションではなく、着座者が安楽に座ることのできる柔らかいシートクッションが実現でき、かつ長時間着座しても疲労感や苦痛感を与えることもない。
本実施例では、座部のシートクッション１と前垂れのシートクッション１ｆとが一体的なもので説明したが、それぞれが分離された別体であってもよい。
【図面の簡単な説明】
【００２９】
【図１】本考案に係るシートクッションの要部断面図である。
【図２】本考案に係るシートクッションの表装張り部の要部拡大断面図である。
【図３】本考案に係る溶着テープで溶着された表装張り部が取付けられた椅子の全体図である。
【図４】従来の糸ミシンで縫製された縫製部の要部断面図である。
【図５】従来の糸縫製されたシートクッションで形成された椅子の全体図である。
【符号の説明】
【００３０】
１          座部シートクッション
１ａ        前垂れシートクッション
１ｂ        布
１ｃ        発泡部材
１ｄ        表装張り層
１ｅ        光沢層
２          背凭れシートクッション
３          枕シートクッション
４          芯材
５          クッション材
６          溶着テープ
【図１】
0003132062.tif 000003
【図２】
0003132062.tif 000004
【図３】
0003132062.tif 000005
【図４】
0003132062.tif 000006
【図５】
0003132062.tif 000007